(57)【特許請求の範囲】
【請求項１】
尿取り部と、泌尿器挿入口とを含む雄ペット用尿取り袋であって、
前記尿取り部は、袋状であって、内部に泌尿器収納空間を有し、且、前記泌尿器収納空間の内面に吸水層を有しており、
前記泌尿器挿入口は、前記泌尿器収納空間の開口部を構成しており、
更に、前記尿取り部は、第１の面部と、第２の面部との重なりによって構成されており、
前記第２の面部は、前記第１の面部より広い面積を有し、前記第１の面部に重なる部分と、前記第１の面部に重ならない部分とを有しており、
前記重なる部分は、前記泌尿器収納空間を構成しており
前記重ならない部分は、尿漏れ防止面部を構成しており、
前記尿漏れ防止面部は、前記重なる部分との境界に沿って折り畳み可能となっており、
前記泌尿器挿入口は、前記尿漏れ防止面部の前記折り畳みにより塞ぐことができる、
雄ペット用尿取り袋。
【請求項２】
請求項１に記載された雄ペット用尿取り袋であって、貼り付け部を含み、
前記貼り付け部は、前記第２の面部の外面において、前記重なる部分の領域内に配置されている、
雄ペット用尿取り袋。
【請求項３】
雄ペット用尿取り袋と、支持体とを含む尿取り具であって、
前記雄ペット用尿取り袋は、尿取り部と、泌尿器挿入口とを含み、
前記尿取り部は、袋状であって、内部に泌尿器収納空間を有し、且、前記泌尿器収納空間の内面に吸水層を有しており、
前記泌尿器挿入口は、前記泌尿器収納空間の開口部を構成しており、
更に、前記尿取り部は、第１の面部と、第２の面部との重なりによって構成されており、
前記第２の面部は、前記第１の面部より広い面積を有し、前記第１の面部に重なる部分と、前記第１の面部に重ならない部分とを有しており、
前記重なる部分は、前記泌尿器収納空間を構成しており
前記重ならない部分は、尿漏れ防止面部を構成しており、
前記尿漏れ防止面部は、前記重なる部分との境界に沿って折り畳み可能となっており、
前記泌尿器挿入口は、前記尿漏れ防止面部の前記折り畳みにより塞ぐことができ、
前記支持体は、前記第１の面部が雄ペットの腹部に対面し、且、雄ペットの泌尿器が前記泌尿器収納空間に収納された状態で、前記雄ペット用尿取り袋を、雄ペットの泌尿器付近に固定する、
尿取り具。
【発明の詳細な説明】
【技術分野】
【０００１】
本発明は、雄ペット用尿取り袋、及び、これを用いた尿取り具に関する。
【背景技術】
【０００２】
近年、室内で犬猫などのペットを飼う習慣が定着していることにともない、当該ペットがする排泄物を、より簡単に、より衛生的に処理したいという市場の要請が高まっている。
【０００３】
従来、室内におけるペット（例えば、犬）の排泄物の処理は、特許文献１に開示されているようなトレー型のペット用トイレを設置し、このペット用トイレを排泄場所として認識するようにトイレトレーニング（躾）をする。
【０００４】
しかし、この種のペット用トイレでは、病気や老衰により立ち上がれなくなった犬や、そもそも躾がきかない年齢の子犬の排泄をサポートすることができない。
【０００５】
また、一旦は躾が定着した犬であっても、ストレスなどに起因して、ある時からペット用トイレで排尿しなくなってしまう場合が多々ある。そのようなペットに再び躾をし直すことは、飼い主にとって大変面倒であるため、ベランダや庭など近場に出して排尿させてしまうことが多い。このようにベランダや庭など近場に出して排尿させてしまうと、尿の悪臭（アンモニア臭）が近隣トラブルを招く原因となる。
【０００６】
さらに、犬は、喜んだり驚いたり極度の興奮によって尿失禁することが知られている。このような尿失禁は、通常の排尿行動とは異なり、ペット用トイレ以外の場所で行われるから、床の拭き掃除や、絨毯の洗濯など後始末の負担を強いられることとなる。
【０００７】
加えて、ペットとして飼われている動物の中にあって、例えば雄犬などには、生来の縄張り本能に基づき、臭いつけ（マーキング）のために尿を振りまく習性がある。マーキング行動は、室内、室外を問わずあらゆる場所に対して行われるため、ペット用トイレでは対応不可能である。
【０００８】
ペットが室内でマーキング行動を起こす契機として、例えば、訪問した知人宅でペットを飼っていた場合、そのペットの臭いに反応して室内でマーキング行動を起こすことがある。このようなマーキング行動を防止できない限り、ペットを連れて他人の家を訪れたり、ペットを他人の家に預けたりすることができない。
【０００９】
他方、ペットが室外でマーキング行動を起こす契機として、散歩中、他人の家の玄関先や、電信柱、植木鉢などに先行してマーキングされた臭いに反応してマーキング行動を起こす。このように、一旦マーキングされた箇所には、多数の犬が重ねて尿をかけるため、強烈な悪臭を放ち、近隣トラブルを招く原因となる。また、玄関、電信柱などのコンクリート製品が腐敗する原因となったり、尿により土の水素イオン指数（ｐｈ）が変化して、植木鉢の植物が枯死する原因となる。
【００１０】
そこで、多くの飼い主は、ペットの散歩中に水筒を持ち歩き、マーキングした後に水をかけて臭いを消すなどのマーキング対策をとっているが、一旦染み付いた尿を完全に洗い流すことは困難である。
【００１１】
そもそも、ペットの排尿処理における根本的な問題点は、尿は便とは異なり液体であるから、排尿と同時に処理しないと対象物に染み込んでしまい、後始末が難しい点にある。この問題を解決する従来技術として、特許文献２及び３には、ペットの体に装着する型の尿取り具が開示されている。
【００１２】
特許文献２に記載された発明は、腹巻タイプの尿取り具であって、ペットの胴体に巻装するマナーベルトの内周面に、吸水性を有する尿取りシートを貼り付けたものである。他方、特許文献３に記載された発明は、紙おむつタイプの尿取り具である。
【００１３】
確かに、特許文献２及び３によると、通常の排尿時の尿を捕捉しうるのは勿論のこと、尿失禁の尿、及び、マーキング行動時の尿を捕捉することができる。
【００１４】
しかし、特許文献２及び３でも、依然として以下に説明するような問題がある。まず、特許文献２の腹巻タイプの尿取り具では、尿漏れを防止するため、泌尿器の尿道口が尿取りシートの中心に来ているか目で確認しながら装着させる必要がある。このような装着作業を、人間より背の低い動物に対して行うのは多大な労力を要する。
【００１５】
また、尿道口が尿取りシートの中心から外れていることに気付かずに装着させてしまった場合、尿取りシートの領域外に尿漏れを起こすこととなる。
【００１６】
さらに、マナーベルトは、ペットに対して苦痛やストレスを与えないように、胴体への締め付け圧力が緩めに調節される傾向にあるから、装着中のペットの動作によって尿道口が尿取りシートの中心からずれてしまうという不具合が生じやすい。
【００１７】
上述した装着時の位置決めミス、及び、装着中の位置ズレにより尿取りシートの領域外に尿漏れが生じ、この尿漏れによってマナーベルトが汚れると、ベルトを洗濯しなければならなくなり、多大な労力を要する。
【００１８】
また、特許文献２の尿取り具では、尿取りシートの一面で尿を捕捉しているから、使用済みの尿取りシートを廃棄する際、シート表面から尿の悪臭が立ち上るとともに、尿取りシートに含まれる尿が手についたり、尿取りシートの端から尿がたれてしまったりして後始末を衛生的に行うことができない。これでは手洗い設備のない外出先での使用、及び、交換は敬遠されがちになり、使い勝手が悪い。
【００１９】
上述した尿取りシートの領域外に尿漏れを起こす問題、及び、使用済みの尿取りシートを廃棄する際の悪臭など衛生面の問題は、特許文献３の尿取り具でも、同様に生じる。さらに、紙おむつは、下半身全体を覆う構造であるから、コスト高を招くとともに、装着中の外見から病的な印象をうける傾向にあり、飼い主にとって心理的に使いにくいという問題がある。
【特許文献１】特開２００７−１５９５９１号公報
【特許文献２】特開２００５−２２９９１５号公報
【特許文献３】特開２００７−２２８８８４号公報
【発明の開示】
【発明が解決しようとする課題】
【００２０】
本発明の課題は、確実に尿漏れを防止することができる雄ペット用尿取り袋、及び、これを用いた尿取り具を提供することである。
【００２１】
本発明のもう１つの課題は、廃棄作業時の悪臭の発生を防止することができる雄ペット用尿取り袋、及び、これを用いた尿取り具を提供することである。
【００２２】
本発明の更にもう一つの課題は、着脱作業を容易に、且、衛生的に行うことができる雄ペット用尿取り袋、及び、これを用いた尿取り具を提供することである。
【００２３】
本発明の更にもう一つの課題は、装着中に違和感や苦痛を感じることなく、長時間に渡って良好に装着させることができる雄ペット用尿取り袋、及び、これを用いた尿取り具を提供することである。
【００２４】
本発明の更にもう一つの課題は、安価に製造することができるとともに、組み合わせのバリエーションも確保することができる雄ペット用尿取り袋、及び、これを用いた尿取り具を提供することである。
【課題を解決するための手段】
【００２５】
上述した課題を解決するため、本発明に係る雄ペット用尿取り袋は、尿取り部と、泌尿器挿入口とを含む。尿取り部は、袋状であって、内部に泌尿器収納空間を有し、且、泌尿器収納空間の内面に吸水層を有している。泌尿器挿入口は、泌尿器収納空間の開口部を構成している。
【００２６】
本発明に係る雄ペット用尿取り袋は、支持体と組み合わされて、尿取り具を構成する。支持体は、雄ペットの泌尿器が泌尿器収納空間に収納された状態で、雄ペット用尿取り袋を、雄ペットに取り付ける。
【００２７】
ここで、尿取り具を構成する雄ペット用尿取り袋は、尿取り部と、泌尿器挿入口とを有している。尿取り部は袋状であって、内部に泌尿器収納空間を有し、泌尿器挿入口は泌尿器収納空間の開口部を構成しているから、この泌尿器挿入口から雄ペットの泌尿器を泌尿器収納空間へ、容易に案内することができる。
【００２８】
尿取り部は、泌尿器収納空間の内面に吸水層を有しているから、雄ペットの泌尿器が泌尿器収納空間に収納された状態で、排尿、尿失禁、及び、マーキング行動により尿を排出した場合に、排出された尿は吸水層で確実に吸い取られる。
【００２９】
尿取り部は袋状であるから、雄ペットの泌尿器は、泌尿器収納空間に収納された状態で、泌尿器収納空間内を自由に動くことができる。従って、雄ペットは、尿取り具の装着中に違和感や苦痛を感じるがことなく、長時間に渡って良好に装着させることができる。
【００３０】
尿取り部は袋状であって、泌尿器収納空間は泌尿器挿入口以外の部分では閉じた構造となっているから、一旦、吸水層で吸収した尿が泌尿器収納空間の外部へ漏出する不具合は生じない。従って、使用済みとなった尿取り袋の廃棄作業を衛生的に行うことができる。
【００３１】
同様に、吸水層で捕捉された尿の悪臭は、泌尿器収納空間の外部に漏出しない。従って、悪臭の発生を防止し、使用済みとなった尿取り袋の廃棄作業を衛生的に行うことができる。
【００３２】
雄ペット用尿取り袋は、袋状の尿取り部と、泌尿器挿入口とによって構成されているから、安価に製造することができる。
【００３３】
本発明に係る尿取り具において、支持体は、雄ペットの泌尿器が泌尿器収納空間に収納された状態で、雄ペット用尿取り袋を、雄ペットに取り付ける。このように、支持体と、雄ペット用尿取り袋とが別体で構成されている構造によると、着脱作業時、廃棄作業時の取り扱いが容易である。さらに、支持体として、周知のマナーベルトや、ペット用衣類を用いることにより、組み合わせのバリエーションを確保することができる。しかも、所謂紙おむつタイプとは異なり、看者に病的な印象を与えることはない。
【００３４】
本発明に係る雄ペット用尿取り袋、及び、これを用いた尿取り具の具体的態様について、雄ペット用尿取り袋は貼り付け部を含み、貼り付け部は尿取り部の外面に設けられている。貼り付け部は、例えば両面テープなど剥離可能、叉は、繰り返し着脱可能な接着性を有する面領域であることが好ましい。
【００３５】
上述したように貼り付け部は、尿取り部の外面に設けられているから、貼り付け部の接着性により、マナーベルトなどの支持体に対して、雄ペット用尿取り袋が安定的に載置される。従って、装着時の位置決めミス、及び、装着中の位置ズレの発生を回避し、確実に尿漏れを防止することができる。
【００３６】
また、貼り付け部は尿取り部の外面に設けられているから、使用済みの雄ペット用尿取り袋を支持体から剥離して廃棄するにあたり、雄ペット用尿取り袋を折り畳み、この折り畳みにより生じた重なり部分を、貼り付け部で止めることができる。この折り畳み作業を通じて泌尿器挿入口を密閉することにより、泌尿器挿入口からの尿漏れや、悪臭の発生を防止し、着脱作業を衛生的に行うことができる。
【００３７】
さらに、雄ペット用尿取り袋は、貼り付け部によりコンパクトに折り畳んだ状態を保持することができる。従って、散歩など外出の際に容易に携行することができるとともに、使用済みの雄ペット用尿取り袋を外出先から容易に持ち帰ることができる。
【００３８】
本発明の他の目的、構成及び利点については、添付図面を参照し、更に詳しく説明する。添付図面は、単に、例示に過ぎない。
【発明の効果】
【００３９】
以上述べたように、本発明によれば、次のような効果を得ることができる。
（１）確実に尿漏れを防止することができる雄ペット用尿取り袋、及び、これを用いた尿取り具を提供することができる。
（２）廃棄作業時の悪臭の発生を防止することができる雄ペット用尿取り袋、及び、これを用いた尿取り具を提供することができる。
（３）着脱作業を容易に、且、衛生的に行うことができる雄ペット用尿取り袋、及び、これを用いた尿取り具を提供することができる。
（４）装着中に違和感や苦痛を感じることなく、長時間に渡って良好に装着させることができる雄ペット用尿取り袋、及び、これを用いた尿取り具を提供することができる。
（５）安価に製造することができるとともに、組み合わせのバリエーションも確保することができる雄ペット用尿取り袋、及び、これを用いた尿取り具を提供することができる。
【発明を実施するための最良の形態】
【００４０】
図１は本発明の一実施形態に係る雄ペット用尿取り袋の斜視図、図２は図１の２−２線に沿った断面図、図３は図１の３−３線に沿った断面図である。また、図４は図１に示した雄ペット用尿取り袋の平面図、図５は図１に示した雄ペット用尿取り袋の底面図である。
【００４１】
まず、本発明の一実施形態に係る雄ペット用尿取り袋は、マナーベルトの内面、又は、ペット用紙おむつの内面などに配置して使用されるものであって、好ましくは一枚のシート材を折り畳み成形した構造を有している。
【００４２】
図１乃至図５に示す雄ペット用尿取り袋に用いられるシート材は、周知のペット用トイレシートと同様の３層構造を有しており、上層（トップシート）が液透過性を有する通水層１０１でなり、中間層が吸水性樹脂を主成分とする吸水層１０２でなり、下層（バックシート）が液不透過性を有する遮水層１０３でなる。
【００４３】
さらに、雄ペット用尿取り袋の各部の構造について説明すると、雄ペット用尿取り袋は、尿取り部１０と、泌尿器挿入口１３と、尿漏れ防止面部１４とを含む。
【００４４】
尿取り部１０は、第１の面部１１と、第２の面部１２とにより構成されている。第１の面部１１は、一面１１１の側に遮水層１０３を有し、中間部分に吸水層１０２を有し、他面１１２の側に通水層１０１を有している。他方、第２の面部１２は、一面１２１の側に通水層１０１を有し、中間部分に吸水層１０２を有し、他面１２２の側に遮水層１０３を有している。
【００４５】
第１、第２の面部１１、１２は、折り畳まれた状態で現れるシート材の一部である。即ち、シート材は、２つの端縁１１３、１２３が縦方向Ｌに向い合うように、縦方向Ｌの中間部分で折り畳まれた状態となっている。第１、第２の面部１１、１２を区分する境界線Ｂ１は、シート材において縦方向Ｌに直交する横方向Ｗに沿って伸びている。この境界線Ｂ１が、シート材の縦寸法の中央より端縁１１３の側に寄った位置に配置されていることにより、第２の面部１２が、第１の面部１１より大きな平面寸法となっている。第１の面部１１の端縁１１３と、第２の面部１２の端縁１２３とは、縦方向Ｌに、互いに間隔Ｄ１を隔て平行している。
【００４６】
尿取り部１０は、袋状であって、内部に泌尿器収納空間１００を有し、且、泌尿器収納空間１００の内面に吸水層１０２を有している。泌尿器収納空間１００は、第１の面部１１の他面１１２と、この他面１１２に向い合う第２の面部１２の一面１２１との間に形成される内部空間であり、横方向Ｗの両端と、さらに縦方向Ｌの一方（境界線Ｂ１）との３方向が閉じている。
【００４７】
泌尿器挿入口１３は、境界線Ｂ１に向かい合う縦方向Ｌの他方において、泌尿器収納空間１００に通じる開口部を構成している。泌尿器挿入口１３は、第１の面部１１の端縁１１３と、一点鎖線で表記されている境界線Ｂ２で囲まれている。境界線Ｂ２は、第２の面部１２の一面１２１において、泌尿器収納空間１００と尿漏れ防止面部１４との境界をあらわしている。
【００４８】
尿漏れ防止面部１４は、一面１２１の側に吸水層１０２を有し、境界線Ｂ２を介して第２の面部１２から縦方向Ｌに向かって、一体的に伸びている。尿漏れ防止面部１４は、シート材の折り畳み態様により現れるシート材の一部である。即ち、尿漏れ防止面部１４は、第２の面部１２の一面１２１において、泌尿器収納空間１００との境界線Ｂ２から、第２の面部１２の端縁１２３までの間隔Ｄ１に対応する面領域である。
【００４９】
さらに図４乃至図５を参照すると、本発明の一実施形態に係る雄ペット用尿取り袋は、第１の貼り付け部１５と、第２の貼り付け部１６と、第１〜第３の谷折線Ｃ１〜Ｃ３とを有している。
【００５０】
第１、第２の貼り付け部１５、１６は、好ましくは繰り返し着脱可能な接着性を有する面領域であって、例えば両面テープを用いることができる。第１、第２の貼り付け部１５、１６のそれぞれは、第２の面部１２の他面１２２において、尿取り部１０に対応する領域内の幅方向Ｗの両端縁付近に配置されている。
【００５１】
第１〜第３の谷折線Ｃ１〜Ｃ３は、本発明の一実施形態に係る雄ペット用尿取り袋の折り畳み構造を示している。第１の谷折線Ｃ１は、第２の面部１２において、泌尿器挿入口１３の近傍を端縁１１３に沿って横方向Ｗに伸びている。第２、第３の谷折線Ｃ２、Ｃ３は、第１、第２の面部１１、１２において、第１の面部１１の幅寸法Ｗ１、又は、尿漏れ防止面部１４の幅寸法Ｗ１を三等分するように等配され、縦方向Ｌに沿って伸びている。第１〜第３の谷折線Ｃ１〜Ｃ３は、シート材に折り畳み癖をつけたものでよい。
【００５２】
第１〜第３の谷折線Ｃ１〜Ｃ３の技術的意義について、さらに図６乃至図１２を参照して説明する。図６乃至図１２は、本発明の一実施形態に係る雄ペット用尿取り袋の使用方法を示す図である。図６乃至図１２において、図１乃至図５に示した構成部分と同一の構成部分には、同一の参照符号を付す。
【００５３】
まず、図６に示すように、第１の谷折線Ｃ１に沿って、第２の面部１２を第１の面部１１に向かって矢印Ｍ１で示す方向に折り畳む。この折り畳みにより、図７に示すように、雄ペット用尿取り袋の縦寸法が、１／２程度に縮小されるとともに、泌尿器挿入口１３が、横方向Ｗの全幅に渡って尿漏れ防止面部１４により被覆され、泌尿器収納空間１００が密閉される。
【００５４】
図８に示す工程は、図６及び図７に示した工程のあとの状態を示す平面図であって、第１の谷折線Ｃ１に沿って折り畳みしたあと、第２の谷折線Ｃ２に沿って矢印Ｍ２で示す方向に、第１、第２の面部１１、１２を折り畳む。この折り畳み作業により、図９に示すように、第１、第２の面部１１、１２の一端が第３の谷折線Ｃ３に来るように折り返され、第１、第２の面部１１、１２の全幅寸法Ｗ１が、２／３程度の幅寸法Ｗ２に縮小される。第２の面部１２は、他面１２２に第１の貼り付け部１５を有し、折り畳みによって、第１の貼り付け部１５が平面側に現れる。
【００５５】
さらに、図９に示すように、第２の谷折線Ｃ２に沿って折り畳みしたあと、第３の谷折線Ｃ３に沿って矢印Ｍ３で示す方向に、第１、第２の面部１１、１２を折り畳む。この折り畳み作業により、図１０に示すように、第１、第２の面部１１、１２の他端が第２の谷折線Ｃ２に対応する折り曲げ部分の端縁に来るように折り返され、第１、第２の面部１１、１２の全幅寸法Ｗ１が、１／３程度の幅寸法Ｗ３に縮小される。このとき、シート材の一端は、縦方向Ｌの全長に渡って第３の谷折線Ｃ３によって密閉される。
【００５６】
図１１に示す工程は、図１０に示した工程の状態を示す正面図であって、第３の谷折線Ｃ３に沿って、第１、第２の面部１１、１２が折り畳まれることにより、この折り返し部分が、先に平面側に現れた第１の貼り付け部１５に接着し、折り畳み状態が維持される。
【００５７】
なお、図１１に示すように、本発明の一実施形態に係る雄ペット用尿取り袋は、第２の面部１２の他面１２２において、尿取り部１０に対応する領域の両端に第１、第２の貼り付け部１５、１６が配置されているから、第２、第３の谷折線Ｃ２、Ｃ３のいずれを先に折り畳みたとしても、折り畳み部分の平面側には第１、第２の貼り付け部１５、１６の何れかが現れる。従って、第２、第３の谷折線Ｃ２、Ｃ３のいずれを先に折り畳んだとしても、上述した折り畳み状態を、第１、第２の貼り付け部１５、１６により接着して固定することができる。
【００５８】
図６〜図１１を参照して説明したように、第１〜第３の谷折線Ｃ１〜Ｃ３に沿って折り畳まれた雄ペット用尿取り袋は、図６に示した全開状態の平面積（平面寸法）が、図１１に示した状態では１／６程度に低減され、コンパクトになる。従って、散歩など外出の際に嵩張らず容易に携行することができるとともに、使用済みの雄ペット用尿取り袋を外出先から容易に持ち帰ることができる。
【００５９】
図１乃至図１１を参照して説明した雄ペット用尿取り袋は、支持体と組み合わされて、尿取り具を構成する。次に、本発明の一実施形態に係る雄ペット用尿取り袋を用いた尿取り具について、図１２乃至図１４を参照して説明する。図１２は本発明の一実施形態に係る尿取り具の平面図、図１３は図１２に示した尿取り具の分解構造を示す斜視図、図１４は図１２に示した尿取り具の使用方法を示す斜視図である。図１２乃至図１４において、図１乃至図１１に示した構成部分と同一の構成部分には、同一の参照符号を付す。
【００６０】
図１２乃至図１４を参照すると、本発明の一実施形態に係る尿取り具は、雄ペット用尿取り袋１と、支持体２とを有している。雄ペット用尿取り袋１は、図１乃至図１１を参照して説明したものでなり、第１、第２の貼り付け部１５、１６によって、支持体２に好ましくは繰り返し着脱可能に取り付けられている。
【００６１】
支持体２は、雄ペット用尿取り袋１を、雄ペットの泌尿器付近に固定するものである。具体的に図１２乃至図１４に示す支持体２は、周知のマナーベルトであるが、雄ペットの泌尿器付近（下腹部）に装着されるものであれば、その他ズボンなどのペット用衣装であってもよい。
【００６２】
図１２乃至図１４に示す支持体２は、全体として布製品が好ましく、より好ましくは雄ペット用尿取り袋１の設置領域２０は、例えば化学繊維など防水性、又は、遮水性を有する素材で構成されている。設置領域２０が防水性を有する構造によると、万が一、尿漏れが生じた場合にも容易に洗濯することができる。
【００６３】
支持体２は、一面２１の一端に第１の面ファスナ部２５を有し、他面２２の他端に第２の面ファスナ部２６を有している。第１、第２の面ファスナ部２５、２６は互いに面結合可能であり、支持体２の両端を結合して、環状、又は、バンド状とするために用いられる。
【００６４】
本発明に係る尿取り具の具体的な使用態様について、更に図１５乃至図２１を参照して説明する。まず、図１５は本発明の一実施形態に係る尿取り具の使用状態を示す図である。また、図１６は図１５に示した尿取り具の一部を拡大して示す部分断面図である。図１５及び図１６において、図１乃至図１４に示した構成部分と同一の構成部分には、同一の参照符号を付す。
【００６５】
図１５及び図１６を参照すると、本発明に係る尿取り具において、支持体２は、動物の胴体に装着される。支持体２は、第１の面部１１、及び、尿漏れ防止面部１４が雄ペット３の腹部に対面し、且、雄ペット３の泌尿器３０が泌尿器収納空間１００に収納された状態で、雄ペット用尿取り袋１を、雄ペット３の泌尿器３０付近に固定する。
【００６６】
図１乃至図１６を参照して説明したように、本発明の一実施形態に係る雄ペット用尿取り袋１、及び、これを用いた尿取り具において、雄ペット用尿取り袋１は、尿取り部１０と、泌尿器挿入口１３とを有している。尿取り部１０は袋状であって、内部に泌尿器収納空間１００を有し、泌尿器挿入口１３は泌尿器収納空間１００の開口部を構成しているから、この泌尿器挿入口１３から雄ペット３の泌尿器３０を泌尿器収納空間１００へ、容易に案内することができる。従って、動き回る動物相手に対しても確実に、且、容易に装着させることができる。
【００６７】
さらに、図１７は図１５に示した尿取り具の一部を拡大して示す部分断面図、図１８は図１７に示した尿取り具の使用方法について、一部を拡大して示す部分断面図である。
【００６８】
図１７を参照すると、雄ペット３の泌尿器３０を泌尿器収納空間１００に案内する場合、泌尿器挿入口１３の端縁１１３が泌尿器３０に対するガイドとなり、泌尿器３０は端縁１１３に引っかかって後、さらに第１の面部１１の他面１１２に沿って泌尿器収納空間１００に容易に案内される。例えば、ペット３が立ち上がり、泌尿器３０が地面方向に垂れ下がった状態で、雄ペット用尿取り袋１を腹部に沿わせるようにするだけで、泌尿器３０を泌尿器収納空間１００に誘導することができる。しかも、泌尿器３０が泌尿器収納空間１００に収納されているか否かは、手を放して雄ペット用尿取り袋１が泌尿器３０に引っかかるか否かを確認するだけでよい。
【００６９】
さらに、第２の面部１２は、第１の面部１１よりも広い平面寸法を有しており、２つの端縁１１３、１２３が縦方向Ｌに向かい合う間隔Ｄ１には尿漏れ防止面部１４があるから、泌尿器３０は、尿漏れ防止面部１４の面上に沿って泌尿器収納空間１００に案内される。即ち、尿漏れ防止面部１４は泌尿器３０の挿入ガイド面としても機能し、尿取り具２の装着時、泌尿器３０が第２の面部１２の下を通って、泌尿器挿入口１３から外れてしまうという不正挿入を回避する。また、２つの端縁１１３、１２３の間には間隔Ｄ１があるから、泌尿器挿入口１３が閉じてしまう不具合も生じない。
【００７０】
尿取り部１０は袋状であるから、雄ペット３の泌尿器３０は、泌尿器収納空間１００に収納された状態で、泌尿器収納空間１００内を自由に動くことができる。具体的に図１８を参照すると、泌尿器３０は、泌尿器収納空間１００の領域内で、矢印Ｍ４で示す方向に自由に動くことができる。従って、尿取り具の装着中にペット３が感じる違和感を最低限に抑えることができる。
【００７１】
尿取り部１０は袋状であり、泌尿器収納空間１００、及び、泌尿器挿入口１３は拡張された空間領域を構成しているから、雄ペット３の泌尿器３０には、泌尿器収納空間１００に収納された状態で、何らの締め付け圧力も加えられていない。従って、ペット３は、泌尿器３０に尿取り袋１を長時間装着しても、苦痛やストレス（違和感）を感じることなく元気で動き回ることができる。
【００７２】
尿取り部１０は、泌尿器収納空間１００の内面に吸水層１０２を有しているから、雄ペット３の泌尿器３０が泌尿器収納空間１００に収納された状態で、排尿、尿失禁、及び、マーキング行動により尿を排出した場合に、排出された尿は吸水層１０２で確実に捕捉される。従って、装着後のペット３の動きによって、多少、泌尿器３０がずれたとしても、これが泌尿器収納空間１００の領域内に有る限り尿を捕捉することができる。
【００７３】
また、泌尿器収納空間１００において高さ方向Ｔに向かい合う第１、第２の面部１１、１２に吸水層１０２を設けたことにより、従来の尿取りシートと比較して、吸収領域の面積が２倍に広がり、尿吸収可能量も２倍になる。他方、尿吸収可能量を従来と同じに設定した場合、第１、第２の面部１１、１２のシート厚みを従来の半分程度に抑えることができるから、全体形状の小型化が可能であるとともに、製造コストを低減することができる。
【００７４】
尿取り部１０は袋状であって、泌尿器収納空間１００は泌尿器挿入口１３以外の部分では閉じた構造となっているから、一旦、吸水層１０２で吸収した尿が泌尿器収納空間１００の外部へ漏出する不具合は生じない。従って、使用済みとなった尿取り袋の廃棄作業を衛生的に行うことができる。
【００７５】
同様に、吸水層１０２で捕捉された尿の悪臭は、泌尿器収納空間１００の外部に漏出しない。従って、悪臭の発生を防止し、使用済み雄ペット用尿取り袋の廃棄作業を衛生的に行うことができる。
【００７６】
図１９は本発明の一実施形態に係る尿取り具の使用状態を示す図、図２０は図１９に示した雄ペット用尿取り袋の使用方法を示す図、図２１は図２０に示した工程のあとの状態を示す平面図である。図１９乃至図２１において、図１乃至図１８に示した構成部分と同一の構成部分には、同一の参照符号を付す。
【００７７】
図１９は、排尿、尿失禁、及び、マーキング行動により尿３１を排出したあとの処理について、尿取り具をペット３の胴体から外した状態を示している。図１９に示すように、尿３１は、主に泌尿器収納空間１００で吸収され、尿３１の量や、泌尿器３０の若干の位置ズレにより尿漏れ防止面部１４に広がる場合もある。図１９に示す雄ペット用尿取り袋１は、第１、第２の貼り付け部１５、１６により、支持体２の設置領域２０上に仮止めされた状態となっている。
【００７８】
そして、図１９に示す状態から、まず第１の谷折線Ｃ１に沿って、第２の面部１２を第１の面部１１に向かって折り畳むことにより、図２０に示すように、泌尿器挿入口１３が、横方向Ｗの全幅に渡って尿漏れ防止面部１４により被覆され、泌尿器収納空間１００が第１の谷折線Ｃ１によって密閉される。さらに、第２、第３の谷折線Ｃ２、Ｃ３に沿って、第１、第２の面部１１、１２が折り畳まれる。
【００７９】
図２１は図２０に示した工程のあとの状態を示す平面図であって、雄ペット用尿取り袋１は、第２の谷折線Ｃ２に沿って折り畳むことにより、第１の貼り付け部１５と、設置領域２０との接着状態が解除される。なお、尿取り袋１は、第２の貼り付け部１６により、依然として支持体２の設置領域２０上に仮止めされた状態となっている。
【００８０】
さらに、第２の谷折線Ｃ２に沿って折り畳みしたあと、第３の谷折線Ｃ３に沿って、第１、第２の面部１１、１２が折り畳まれることにより、図２１に示すように、シート材の他端が第１、第２の面部１１、１２の中央付近に来るように折り返され、第１、第２の面部１１、１２の横方向Ｗの全幅寸法（Ｗ１）が１／３に縮小される。
【００８１】
第３の谷折線Ｃ３に沿って、第１、第２の面部１１、１２が折り畳まれることにより、この折り畳み部分が、先に平面側に現れた第１の貼り付け部１５によって接着され、この折り畳み状態が維持される。なお、図２１に示す状態になって初めて、雄ペット用尿取り袋１と、支持体２との仮止め状態が解除される。
【００８２】
図１９乃至図２１を参照して説明した処理工程によると、泌尿器挿入口１３が、横方向Ｗの全幅に渡って尿漏れ防止面部１４により被覆され、泌尿器収納空間１００が第１の谷折線Ｃ１によって密閉されるから、悪臭は生じない。また、泌尿器挿入口１３、及び、尿漏れが生じやすいシート材の両端は、第２、第３の谷折線Ｃ２、Ｃ３により中央に向かって折り返されるから、尿漏れが防止される。
【００８３】
雄ペット用尿取り袋１は、第１〜第３の谷折線Ｃ１〜Ｃ３の全てを折り畳み終わるまでは、第１、第２の貼り付け部１５、１６の何れかにより、設置領域２０に仮止めされた状態となっているから、外出先でも立ったままで簡単に装着でき、はずした時も手を汚さず小さく畳むことができる。従って、手が汚れないように衛生的に着脱作業を行うことができ、手洗い設備のない外出先でも躊躇することなく使用、及び、交換することができるから、使い勝手がよい。
【００８４】
さらに第１〜第３の谷折線Ｃ１〜Ｃ３の全てを折りたたむことにより、全体形状が１／６に縮小されるから、取り扱いが容易になる。例えば、ペットを連れて外出するとき、知人宅へ訪問又は宿泊するとき、近所を散歩するときなど、尿をさせる場所を探すことなく、簡単に処理することができる。
【００８５】
さらに、尿取り部１０は袋状である。即ち、尿取り部１０は泌尿器挿入口１３以外の部分では泌尿器収納空間１００が閉じた構造となっているから、吸水層１０２で捕捉された尿３１の悪臭は、泌尿器収納空間１００の外部に漏出しない。従って、使用した雄ペット用尿取り袋１を廃棄する際の悪臭を遮断し、また、手が汚れないように衛生的に着脱作業を衛生的に行うことができる。
【００８６】
雄ペット用尿取り袋１は、袋状の尿取り部１０と、この尿取り部１０の開口部を構成する泌尿器挿入口１３とによって構成されているから、安価に製造することができる。
【００８７】
他方、尿取り具を構成する支持体２は、雄ペット用尿取り袋１を、雄ペット３の泌尿器３０付近に固定する。支持体２としては、周知のマナーベルトや、ペット用衣類を用いることができる。このように尿取り具は、支持体２と、雄ペット用尿取り袋１とが別体で構成されているから、取り扱いが容易であり、組み合わせのバリエーションも確保することができる。
【００８８】
本発明に係る雄ペット用尿取り袋１によると、病気や老衰により立ち上がれなくなった犬や、未だ躾のできない年齢の子犬などの排尿、尿失禁、及び、マーキング行動により尿３１を確実に捕捉することができる。
【００８９】
また、ストレスなどに起因して、ある時からペット用トイレで排尿しなくなってしまった犬についても、本発明に係る尿取り具を用いることにより、再びトイレトレーニングをし直すことなく、尿３１を尿取り袋１で捕捉することができる。従って、やむを得ずベランダや庭など近場に出して排尿させてしまうことがなくなり、尿の悪臭が近隣トラブルを招くこともない。
【００９０】
さらに、ペットとともに気軽に他人の家を訪れたり、自分の外出中にペットを預けたりすることが容易になる。また、散歩中に玄関の門扉、電信柱、植木鉢などに対するマーキング行動を回避することができるから、悪臭による近隣トラブルの問題、玄関、電信柱などのコンクリート製品が腐敗する問題、尿により土の水素イオン指数（ｐｈ）が変化し植木鉢の植物が枯死する問題などを回避することができる。
【００９１】
尿取り部１０は泌尿器収納空間１００を有し、泌尿器挿入口１３は泌尿器収納空間１００の開口部を構成しているから、従来の腹巻タイプの尿取り具（特許文献２参照）とは異なり、泌尿器３０が泌尿器収納空間１００に案内されてさえいれば、尿道口が尿取りシートの中心に来ているか覗き込んで確認しながら装着させる必要はない。従って、装着作業が容易になり、動き回る動物相手でも容易に装着させることができる。さらに、泌尿器３０が泌尿器収納空間１００に案内されてさえいれば、確実に尿３１を捕捉することができるから、尿漏れを回避することができる。
【００９２】
また、泌尿器３０が泌尿器収納空間１００に案内されてさえいればよいから、ベルトの締め付け圧力を微調節する必要はない。従って、ペット３は、尿取り具を長時間装着しても、苦痛やストレス（違和感）を感じることなく元気で動き回ることができる。
【００９３】
本発明では、尿取り部１０は泌尿器収納空間１００を有し、泌尿器挿入口１３は泌尿器収納空間１００の開口部を構成しているから、従来のおむつタイプの尿取り具（特許文献３参照）とは異なり、下半身全体を覆う必要はない。従って、コスト高を低減し、装着中の病的な印象をうける不都合を回避することができる。一部を袋とじとするだけの比較的簡易な構造であるため、製造コストを低く抑えることができる。
【００９４】
図２２乃至図２４は、本発明のもう一つの実施形態に係る雄ペット用尿取り袋１の平面図である。図２２乃至図２４において、図１乃至図２１に示した構成部分と同一の構成部分には、同一の参照符号を付す。
【００９５】
図１乃至図２２を参照して説明したように、本発明の一実施形態に係る雄ペット用尿取り袋１は、袋状の尿取り部１０を有することにより、泌尿器収納空間１００で吸収した尿３１、及び、尿３１の悪臭が外部へ漏出する不具合を防止できる点に特徴の一つがある。従って、上述した発明の特徴を有する限り、様々な実施形態を採ることができるものであり、図２２乃至図２４は、それらの実施形態の例を挙げている。以下、図１乃至図２１を参照して説明した実施形態との相違点を中心に説明する。
【００９６】
図２２は、雄ペット用尿取り袋１の実施形態であって、端縁１１３が縦方向Ｌに湾曲し、端縁１２３が、端縁１１３の湾曲方向に直交する縦方向Ｌに湾曲している。第１の谷折線Ｃ１は、端縁１１３、１２３の両端を結んだ線分として現れる。
【００９７】
図２３は、雄ペット用尿取り袋１の実施形態であって、尿取り部１０は、平面視した形状が略円状であって、軸心Ａ１の部分で最も高さが高く、周縁に向かって徐々に低くなるドーム状となっており、円周の一部が切り欠かれて泌尿器挿入口１３となっている。
【００９８】
泌尿器挿入口１３は、泌尿器収納空間１００に通じており、第１の面部１１の端縁１１３と、泌尿器収納空間１００との境界線Ｂ２で囲まれている。
【００９９】
図２４は、尿取り具としての構成を一体的に有する雄ペット用尿取り袋１の実施形態であって、第１、第２の支持体部１７、１８を有している。第１、第２の支持体部１７、１８は、例えば紙で構成されており、雄ペット用尿取り袋１の横方向Ｗの両端に、一体的に形成されており、雄ペット３の泌尿器３０が泌尿器収納空間１００に案内された状態で、雄ペット用尿取り袋１を、雄ペット３の泌尿器３０付近に固定する。
【０１００】
図２２乃至図２４を参照して説明した実施形態によっても、図１乃至図２１を参照して説明した利点を全て有することができる。さらに、図２２に示した実施形態によると、ペット３の種類や大きさに追従して端縁１１３、１２３の形状を調節することができるから、端縁１１３、１２３が有する泌尿器収納空間１００へのガイド機能を適宜調節することができる。
【０１０１】
他方、図２３に示した実施形態によると、泌尿器収納空間１００を大きく採ることにより尿３１の吸収可能量を増加することができるとともに、この泌尿器収納空間１００に対して泌尿器挿入口１３が狭く設定されているから、吸収した尿３１、及び、尿３１から生じる悪臭を外部に漏出する不具合を防止することができる。
【０１０２】
一方、図２４に示した実施形態によると、図１２乃至図２１を参照して説明した尿取り具において、雄ペット用尿取り袋１と、支持体２とを一体化することにより、全体として使い捨て可能な実施形態を示している。
【０１０３】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【０１０４】
【図１】本発明の一実施形態に係る雄ペット用尿取り袋の斜視図である。
【図２】図１の２−２線に沿った断面図である。
【図３】図１の３−３線に沿った断面図である。
【図４】図１に示した雄ペット用尿取り袋の平面図である。
【図５】図１に示した雄ペット用尿取り袋の底面図である。
【図６】本発明の一実施形態に係る雄ペット用尿取り袋の使用方法を示す図である。
【図７】図６に示した工程の途中の状態を示す。
【図８】図６及び図７に示した工程のあとの状態を示す平面図である。
【図９】図８に示した工程のあとの工程を示す平面図である。
【図１０】図９に示した工程のあとの工程を示す平面図である。
【図１１】図１０に示した工程のあとの状態を示す正面図である。
【図１２】本発明の一実施形態に係る尿取り具の平面図である。
【図１３】図１２に示した尿取り具の分解構造を示す斜視図である。
【図１４】図１２に示した尿取り具の使用方法を示す斜視図である。
【図１５】本発明の一実施形態に係る尿取り具の使用状態を示す図である。
【図１６】図１５に示した尿取り具の一部を拡大して示す部分断面図である。
【図１７】図１５に示した尿取り具の一部を拡大して示す部分断面図である。
【図１８】図１５に示した尿取り具の使用方法について、一部を拡大して示す部分断面図である。
【図１９】本発明の一実施形態に係る尿取り具の使用状態を示す図である。
【図２０】図１９に示した雄ペット用尿取り袋の使用方法を示す図である。
【図２１】図２０に示した工程のあとの状態を示す平面図である。
【図２２】本発明のもう一つの実施形態に係る雄ペット用尿取り袋の平面図である。
【図２３】本発明の更にもう一つの実施形態に係る雄ペット用尿取り袋の斜視図である。
【図２４】本発明の更にもう一つの実施形態に係る雄ペット用尿取り袋の平面図である。
【符号の説明】
【０１０５】
１                雄ペット用尿取り袋
１０２            吸水層
１０              尿取り部
１００            泌尿器収納空間
１１              第１の面部
１２              第２の面部
１３              泌尿器挿入口
１４              尿漏れ防止面部
１５、１６        第１、第２の貼り付け部
２                支持体
３                雄ペット
３０              泌尿器
【要約】
【課題】確実に尿漏れを防止し、着脱作業および廃棄作業を衛生的に行い、長時間に渡って良好に装着させることが可能であって、さらに安価に製造することができる雄ペット用尿取り袋、及び、これを用いた尿取り具を提供する。
【解決手段】本発明に係る雄ペット用尿取り袋１は、尿取り部１０と、泌尿器挿入口１３とを含む。尿取り部１０は、袋状であって、内部に泌尿器収納空間１００を有し、且、泌尿器収納空間１００の内面に吸水層１０２を有している。泌尿器挿入口１３は、泌尿器収納空間１００の開口部を構成している。本発明に係る雄ペット用尿取り袋１は、支持体２と組み合わされて、尿取り具を構成する。支持体２は、雄ペット３の泌尿器３０が泌尿器収納空間１００に収納された状態で、雄ペット用尿取り袋１を、雄ペット３に取り付ける。
【選択図】図１【図１】
0004142736.tif 000002
【図２】
0004142736.tif 000003
【図３】
0004142736.tif 000004
【図４】
0004142736.tif 000005
【図５】
0004142736.tif 000006
【図６】
0004142736.tif 000007
【図７】
0004142736.tif 000008
【図８】
0004142736.tif 000009
【図９】
0004142736.tif 000010
【図１０】
0004142736.tif 000011
【図１１】
0004142736.tif 000012
【図１２】
0004142736.tif 000013
【図１３】
0004142736.tif 000014
【図１４】
0004142736.tif 000015
【図１５】
0004142736.tif 000016
【図１６】
0004142736.tif 000017
【図１７】
0004142736.tif 000018
【図１８】
0004142736.tif 000019
【図１９】
0004142736.tif 000020
【図２０】
0004142736.tif 000021
【図２１】
0004142736.tif 000022
【図２２】
0004142736.tif 000023
【図２３】
0004142736.tif 000024
【図２４】
0004142736.tif 000025